(57)【要約】      （修正有）【課題】仙腸関節を適度な刺激でマッサージして、腰痛を改善することができる、仙腸関節マッサージ用マットを提供する。【解決手段】この仙腸関節マッサージ用マット１０は、ポリエチレンの独立気泡構造の発泡体からなり、横幅４０〜１００ｃｍ、縦幅２２〜２８ｃｍ、厚さ３０〜５０ｍｍの板状をなし、少なくとも片面に複数の山形突起２０が所定間隔で形成されている。マット１０は、その下方から第１層１１、第２層１２、第３層１３、第４層１４が順次配置されていると共に、各層１１、１２、１３、１４の間に熱融着層１５が介在しており、この熱融着層１５によって各層１１、１２、１３、１４が互いに固着されて一体化されている。このように、ポリエチレンの独立気泡構造の発泡体からなる複数のシートを、熱融着による熱融着層１５を介して積層して構成することにより、山形突起２０の反発力を高めて、マッサージ効果を高めることができる。【選択図】図４
0003195735.tif 000002
【実用新案登録請求の範囲】
【請求項１】
ポリエチレンの独立気泡構造の発泡体からなり、横幅４０〜１００ｃｍ、縦幅２２〜２８ｃｍ、厚さ３０〜５０ｍｍの板状をなし、少なくとも片面に複数の山形突起が所定間隔で形成されていることを特徴とする仙腸関節マッサージ用マット。
【請求項２】
前記山形突起の隣接するものどうしの間隔は、２５〜６０ｍｍであり、前記山形突起の周縁の最も低い表面から前記山形突起の頂部に至る高さは、１０〜２０ｍｍとされている請求項１記載の仙腸関節マッサージ用マット。
【請求項３】
前記山形突起の頂部が配列されたラインに沿って厚さ方向に切った断面形状が波形をなすように形成されている請求項１又は２記載の仙腸関節マッサージ用マット。
【請求項４】
前記発泡体の発泡倍率が２５〜３０倍である請求項１〜３のいずれか１つに記載の仙腸関節マッサージ用マット。
【請求項５】
ポリエチレンの独立気泡構造の発泡体からなるシートを熱融着によって複数枚積層し、その片面に前記山形突起を形成したものからなる請求項１〜４のいずれか１つに記載の仙腸関節マッサージ用マット。
【考案の詳細な説明】
【技術分野】
【０００１】
本考案は、仙腸関節を適度な刺激でマッサージするための、仙腸関節マッサージ用マットに関する。
【背景技術】
【０００２】
腰痛の対処法としては、腰痛ベルトやコルセットを装着したり、シップ等の貼り薬を貼ったりすことが行われているが、その中の一つに、指圧などのマッサージ療法がある。このようなマッサージを自宅等で手軽に行えるマッサージ器や指圧器は、広く一般的に用いられている。
【０００３】
例えば、下記特許文献１には、先端が略球状である球状突起を略円弧状に左右対称に基板上に形成し、該球状突起は略階段状に落差をつけて配列した、仙骨部専用押圧治療器が開示されている。そして、臀部に差し込むようにして治療器をセットして、上半身を静かに後方に倒して、球状突起で仙骨部周辺を押圧して刺激するようになっている。
【０００４】
また、下記特許文献２には、身体を載せる身体載台がどの方向にも自由に傾けられるように、身体載台が床と接する下面中央部に球面状的な凸部を設けると共に、身体載台の表面にツボ刺激や指圧を目的とする突起物を複数設けた、健康具が開示されている。その段落００１１及び図９には、健康具の上に腰を載せて左右方向に体重移動すると、健康具が左右方向に傾いて、腰部が左右に円弧を描いて振れることが記載されている。
【０００５】
更に、腰痛に関するものではないが、脊椎のツボを刺激するためのものとして、下記特許文献３の請求項４には、柔軟性を備えた帯体（１）と、頂点を結ぶ面が帯状の圧迫面（８）を形成するように前記帯体の一面に複数行かつ複数列にして立設された多数の突起（３ａ）とを備え、前記突起は、前記帯体の幅方向に脊椎骨の幅より狭い間隔で立設され、前記圧迫面は、前記帯体の幅中央部に窪みを有しない平面状ないし幅方向が僅かに中凸状の面であり、前記突起は、前記帯体の柔軟性ないし当該突起自体の可撓性に起因する可撓性を備えている、脊椎刺激健康器が開示されている。
【先行技術文献】
【特許文献】
【０００６】
【特許文献１】特開昭６３−２４０８６２号公報
【特許文献２】特開２００２−８５５１６号公報
【特許文献３】特許第５１８９３０３号公報
【考案の概要】
【考案が解決しようとする課題】
【０００７】
ところで、骨盤の仙骨と腸骨をつなぐ仙腸関節は、３〜５ｍｍ程度の小さい可動域しかなく、あまり動かないことが知られている。しかしながら、この仙腸関節がゆるんだり、ずれたり等して、その動きが悪くなると（いわゆる仙腸関節障害）、腰痛の原因となることが判明している。そして、この仙腸関節を適度に指圧して刺激することにより、腰痛が改善されることが、医者により実証されている。
【０００８】
これに対して、上記特許文献１の仙骨部専用押圧治療器は、あくまで球状突起で仙骨部を押圧するものであり、腰痛の原因の一つである仙腸関節には何ら着目しておらず、仙腸関節を適度に刺激できる構造とはなっていない。
【０００９】
また、特許文献２に記載の健康具では、身体載台上に腰を載せて、突起物で腰部が刺激されることで、腰部をもみほぐして腰痛の改善をしたり、身体載台に腰を載せて左右に体重移動することで、下面に設けた凸部を支点として、腰の回転運動をなしたりするものであって、仙腸関節を適度に刺激することは難しい。
【００１０】
更に特許文献３に記載の脊椎刺激健康器では、脊椎上にあるツボを刺激を加えることにより、骨格器系の疼痛や関節痛等を軽減したりするものであり、腰痛の一因である仙腸関節を適度に刺激可能なものではない。
【００１１】
したがって、本考案の目的は、仙腸関節を適度な刺激でマッサージして、腰痛を改善することができる、仙腸関節マッサージ用マットを提供することにある。
【課題を解決するための手段】
【００１２】
上記目的を達成するため、本考案の仙腸関節マッサージ用マットは、ポリエチレンの独立気泡構造の発泡体からなり、横幅４０〜１００ｃｍ、縦幅２２〜２８ｃｍ、厚さ３０〜５０ｍｍの板状をなし、少なくとも片面に複数の山形突起が所定間隔で形成されていることを特徴とする。
【００１３】
この考案によれば、マットの山形突起が形成された面を上にして、敷き布団、敷きマット、畳、絨毯、床等の上に載置し、腰の仙腸関節がある部分を同マット上に載せて仰向けになり、同マットの上で左右に寝返りするように体を動かすことにより、仙腸関節に同マットの山形突起が効果的に当たって、仙腸関節が適度に刺激されるので、腰痛を改善することができる。
【００１４】
また、横幅を４０〜１００ｃｍとしたことにより、同マットの上で体を左右に動かすのに適度な長さとなり、縦幅を２２〜２８ｃｍとし、厚さを３０〜５０ｍｍとしたことにより、同マットの山形突起が仙腸関節に効果的に当たるようにすることができる。
【００１５】
更に、ポリエチレンの独立気泡構造の発泡体からなるので、仰向けになって寝返りするように体を動かすとき、適度な弾性力をもって腰に当たるので、強く圧迫して痛くなることを防ぎつつ、仙腸関節を効果的にマッサージすることができる。
【００１６】
本考案の仙腸関節マッサージ用マットにおいては、前記山形突起の隣接するものどうしの間隔は、２５〜６０ｍｍであり、前記山形突起の周縁の最も低い表面から前記山形突起の頂部に至る高さは、１０〜２０ｍｍとされていることが好ましい。この態様によれば、同マットの山形突起が仙腸関節を効果的に当たるようにすることができる。
【００１７】
本考案の仙腸関節マッサージ用マットにおいては、前記山形突起の頂部が配列されたラインに沿って厚さ方向に切った断面形状が波形をなすように形成されていることが好ましい。この態様によれば、上記断面形状が波形をなすことにより、山形突起の周縁の最も低い表面から山形突起の頂部に至る高さを、マットの厚さの割に高くとることができ、山形突起が仙腸関節により効果的に当たるようにすることができる。また、公知のプロファイル加工によって成形できるので、生産性がよい。
【００１８】
本考案の仙腸関節マッサージ用マットにおいては、前記発泡体の発泡倍率が２５〜３０倍であることが好ましい。この態様によれば、仙腸関節を効果的に刺激できる硬さと、腰が痛くならない程度の柔らかさとがバランスした硬さにすることができる。
【００１９】
本考案の仙腸関節マッサージ用マットにおいては、ポリエチレンの独立気泡構造の発泡体からなるシートを熱融着によって複数枚積層し、その片面に前記山形突起を形成したものからなることが好ましい。この態様によれば、複数枚のシートが熱融着によって積層されているので、山形突起の反発力を高めて、マッサージ効果を高めることができる。
【考案の効果】
【００２０】
本考案によれば、腰の仙腸関節がある部分をマット上に載せて仰向けになり、マット上で左右に寝返りするように体を動かすことで、仙腸関節に同マットの山形突起が効果的に当たって、仙腸関節が適度に刺激されるので、腰痛を改善することができる。また、横幅を４０〜１００ｃｍとしたことにより、マット上で体を左右に動かすのに適度な長さとなり、縦幅を２２〜２８ｃｍとし、厚さを３０〜５０ｍｍとしたことにより、山形突起が仙腸関節に効果的に当たるようにすることができる。更にポリエチレンの独立気泡構造の発泡体からなるので、適度な弾性力で腰にあたるので、強く圧迫して痛くなることを防ぎつつ、仙腸関節を効果的にマッサージすることができる。
【図面の簡単な説明】
【００２１】
【図１】本考案に係る仙腸関節マッサージ用マットの、一実施形態を示す斜視図である。
【図２】同マットの平面図である。
【図３】図２のＢ部における拡大平面図である。
【図４】図２のＡ−Ａ矢示線における断面図である。
【図５】同マットの使用状態を示す側面説明図である。
【図６】同マットの使用状態を示す平面説明図である。
【考案を実施するための形態】
【００２２】
以下、図１〜６を参照して、本考案に係る仙腸関節マッサージ用マットの、一実施形態について説明する。
【００２３】
図１〜４に示すように、この実施形態における仙腸関節マッサージ用マット１０（以下、単に「マット１０」という）は、ポリエチレンの独立気泡構造の発泡体からなり、横幅Ｗの方が縦幅Ｈよりも大きい長板状をなしていると共に（図２参照）、複数の層１１、１２、１３、１４が積層されてなる多層構造となっている（図４参照）。
【００２４】
なお、この実施形態におけるマット１０は、図１に示すように、ファスナー３１で開閉可能とされた、薄い布生地からなるカバー３０により被覆されている。
【００２５】
図４に示すように、このマット１０は、その下方から第１層１１、第２層１２、第３層１３、第４層１４が順次配置されていると共に、各層１１、１２、１３、１４の間に熱融着層１５が介在しており、この熱融着層１５によって各層１１、１２、１３、１４が互いに固着されて一体化されている。このように、ポリエチレンの独立気泡構造の発泡体からなる複数のシートを、熱融着による熱融着層１５を介して積層して構成することにより、後述する山形突起の反発力を高めて、マッサージ効果を高めることができる。
【００２６】
そして、マット１０の少なくとも片面、ここではマット１０の表面側に、複数の山形突起２０が所定間隔で形成されている。各山形突起２０は、最も高い頂部２１が丸みを帯びた半球状をなしていると共に、該頂部２１の周辺からなだらかな曲面を描いて次第に高さが低くなり、裾部が広がるような山形状をなしている。また、各山形突起２０の周囲には、内面が丸みを帯びた凹部２５が所定深さで形成されている。
【００２７】
この実施形態のマット１０においては、その表面に、上記の山形突起２０と凹部２５とが、マット１０の横幅方向及び縦幅方向に沿って、交互に互い違いに形成されており、全体として千鳥格子状となるように、複数の山形突起２０と複数の凹部２５とが配置されている。また、図４に示すように、複数の山形突起２０の頂部２１が配列されたラインＬ（図２参照）に沿って厚さ方向に切った断面形状が、波形をなすように形成されている。なお、複数の山形突起２０や複数の凹部２５の配置パターンは、上記パターンに限定されるものではなく、また、複数の山形突起２０や複数の凹部２５は、マット１０の表裏両面に設けてもよい。
【００２８】
また、図４に示すように、各山形突起２０は、その底部が第２層１２に形成され、中間部が第３層１３に形成され、頂部２１が第４層１４に形成されており、その結果、図３に示すように、各山形突起２０の頂部２１の周辺が、四隅が丸みを帯びた略四角枠状をなした熱融着層１５のラインによって、囲まれたような形状をなしている。一方、凹部２５は、第２層１２に対して所定深さで形成され（図４参照）、その周縁が、前記頂部２１と同様に、四隅が丸みを帯びた略四角枠状の熱融着層１５のラインで囲まれた形状となっている（図３参照）。上記熱融着層１５のラインは、山形突起２０及び凹部２５の斜面に現れるラインを意味している。
【００２９】
そして、図２に示すように、長板状をなしたマット１０は、その横幅Ｗが４０〜１００ｃｍ、縦幅Ｈが２２〜２８ｃｍで形成されると共に、図４に示すように、厚さＴが３０〜５０ｍｍで形成されている。
【００３０】
横幅Ｗが４０ｃｍ未満だと、腰がマット１０からはみでやすくなって、マット１０上で体を左右に動かしにくくなり、１００ｃｍを超えると、マット１０が大型化して取り扱い性に支障がでる。また、縦幅Ｈが２２ｃｍ未満だと、山形突起２０が仙腸関節に的確に当たらず刺激を感じにくくなり、２８ｃｍを超えると、山形突起２０が仙腸関節に当たるものの刺激が小さくなる。更に、厚さＴが３０ｍｍ未満だと、腰の浮き上がりが小さく、山形突起２０による仙腸関節への刺激が小さくなり、５０ｍｍを超えると、腰が浮き上がりすぎてしまう。
【００３１】
なお、マット１０の各寸法としては、横幅Ｗが４８〜５０ｃｍ、縦幅Ｈが２５．５〜２６．５ｃｍ、厚さＴが４０〜５０ｍｍであることが好ましく、更に厚さＴは４３ｍｍであることがより好ましい。
【００３２】
更に図３に示すように、山形突起２０の隣接するものどうしの間隔Ｐ（隣接する山形突起２０，２０の頂部２１，２１どうしの最短距離）は、２５〜６０ｍｍであることが好ましく、図４に示すように、山形突起２０の周辺の最も低い表面（凹部２５の底部）から山形突起２０の頂部２１に至る高さＤは、１０〜２０ｍｍであることが好ましい。
【００３３】
前記間隔Ｐが２５ｍｍ未満だと、山形突起２０が仙腸関節に的確に当たらず刺激を感じにくくなり、６０ｍｍを超えると、山形突起２０による仙腸関節への刺激が小さくなる。また、前記高さＤが１０ｍｍ未満だと、山形突起２０による仙腸関節への刺激が小さくなり、２０ｍｍを超えると、山形突起２０による刺激が過大となりすぎる。
【００３４】
また、上記構造をなしたマット１０は、上述したように、ポリエチレンの独立気泡構造の発泡体（以下「ポリエチレンフォーム」という）からなっている。なお、独立気泡構造とは、材料内部に形成された気泡どうしが繋がっておらず、気泡どうしが壁で仕切られた構造を意味する。
【００３５】
また、マット１０を構成するポリエチレンフォームの発泡倍率は、２５〜３５倍であることが好ましく、３０倍であることがより好ましい。なお、発泡倍率とは、発泡前の樹脂材料（未発泡体）の体積をＶ１とし、発泡後の発泡体の体積をＶ２としたとき、Ｖ２／Ｖ１で規定されるものである。
【００３６】
発泡体の発泡倍率が２５倍未満だと、各山形突起２０が硬くなって、仙腸関節への刺激が過大となり、３５倍を超えると、各山形突起２０が柔らかくなって、仙腸関節への刺激が小さくなる。
【００３７】
なお、上記のような構造をなしたマット１０は、例えば、公知のプロファイル加工によって製造することができる。
【００３８】
まず、所定厚さの薄肉シート状をなした複数枚のポリエチレンフォームを、熱融着層を介して貼り合わせて、多層構造のポリエチレンシートを形成する。その後、ポリエチレンシートを、表面に凹凸形状が設けられた一対のプロファイルロールの間に挿入して圧縮成形しつつ、凹凸形状の成形後のポリエチレンシートをプロファイルロール間に配置した切断刃で切断することで、一枚のポリエチレンシートが２枚に分割され、片面（切断面）に複数の山形突起２０及び複数の凹部２５が設けられたマット１０をそれぞれ製造することができる。
【００３９】
次に上記構造からなるマット１０の使用方法及び作用効果について説明する。
【００４０】
まず、図５に示すように、敷き布団や、敷きマット、畳、絨毯、床等の上に、複数の山形突起２０が形成された面を上にして、マット１０を載置する。そして、使用者は敷き布団等の上に仰向けになって、腰の仙腸関節がある部分がマット１０の山形突起２０に整合するように適宜位置を調整しつつ、マット１０上に腰を載せる（図５参照）。この状態で図６に示すように、マット１０の上で左右に寝返りするように体を動かす。
【００４１】
すると、腰の仙腸関節にマット１０の複数の山形突起２０が効果的に当たって押圧され、仙腸関節が適度に刺激されるので、腰痛を改善することができる。
【００４２】
そして、このマット１０においては、その横幅Ｗを４０〜１００ｃｍとしたことにより、マット１０の上で体を左右に動かしても、体がマット１０からはみでることを防止して、適度な長さとすることできると共に、縦幅Ｈを２２〜２８ｃｍとし、厚さＴを３０〜５０ｍｍとしたことによって、山形突起２０が仙腸関節に効果的に当たるようにすることができる。
【００４３】
更に、このマット１０は、ポリエチレンの独立気泡構造の発泡体からなるので、仰向けになって寝返りするように体を動かすとき、適度な弾性力をもって腰に当たるので、強く圧迫して痛くなることを防ぎつつ、仙腸関節を効果的にマッサージすることができる。
【００４４】
また、山形突起２０の隣接するものどうしの間隔Ｐを２５〜６０ｍｍとし、山形突起２０の周辺の最も低い表面から山形突起２０の頂部２１に至る高さＤを１０〜２０ｍｍとした場合には、マット１０の山形突起２０が、腰の仙腸関節を効果的に当たるようにすることができる。
【００４５】
更にこの実施形態においては、図４に示すように、複数の山形突起２０の頂部２１が配列されたラインＬ（図２参照）に沿って厚さ方向に切った断面形状が、波形をなすように形成されているので、山形突起２０の周縁の最も低い表面から、山形突起２０の頂部に至る高さＤを、マット１０の厚さＴの割に高くとることができ、山形突起２０が仙腸関節により効果的に当たるようにすることができる。また、上記構造を採用したことにより、一枚のシートから公知のプロファイル加工によって、２つのマット１０を同時に成形できるので、生産性を高めることができる。
【００４６】
更に、マット１０を構成する発泡体の発泡倍率が２５〜３０倍である場合には、マット１０の山形突起２０を、仙腸関節を効果的に刺激できる硬さと、腰が痛くならない程度の柔らかさとがバランスした硬さにすることができる。
【実施例】
【００４７】
図１〜４に示す構造と同様の、本考案に係る仙腸関節マッサージ用マットを製造した。
【００４８】
複数の層状シートを熱融着層によって積層してなり、比重が０．９２、発泡倍率が３０倍とされたポリエチレンシートを、公知のプロファイル加工によって、凹凸形状を形成して、実施例のマットを製造した。
【００４９】
このマットの横幅Ｗは４９ｃｍであり、縦幅Ｈは２５．５ｃｍであり、厚さＴは４３ｍｍである。
【００５０】
腰痛を持つパネラーに、上記実施例のマットを使用させてマッサージ運動を行わせ、治療効果を見た。マッサージ運動は、上記マットの上に腰を載せて、左右に揺動させる運動を１５分間、１日に２回、７日間行った。その結果、腰痛が顕著に和らいだことが確認できた。
【符号の説明】
【００５１】
１０  仙腸関節マッサージ用マット（マット）
１１  第１層
１２  第２層
１３  第３層
１４  第４層
１５  熱融着層
２０  山形突起
２１  頂部
２５  凹部
【図１】
0003195735.tif 000003
【図２】
0003195735.tif 000004
【図３】
0003195735.tif 000005
【図４】
0003195735.tif 000006
【図５】
0003195735.tif 000007
【図６】
0003195735.tif 000008